(57)【要約】【課題】天板の下面に形成される狭い収納空間部内に物品を効率よく収納することができるキャビネットを提供すること。【解決手段】天板８の下面に機能設備部９が設けられるとともに、本体２内部における機能設備部９と本体２側面との間に物品を収納可能な収納空間部１１が設けられたキャビネット１であって、本体２側面における収納空間部１１との対向位置に設けられた開口３を開閉可能であるとともに、キャビネット１の本体２に下端辺が回動自在に枢着された開閉扉６と、物品を収納可能な収納体４と、収納体４を、収納空間部１１に収納される収納位置とキャビネット１の本体２外部の使用位置との間で前後方向に直線状にスライド移動案内するガイド手段１３と、開閉扉６の開閉動作に連動して収納体４を収納位置と使用位置との間で移動させる連動機構１６ｃ，１７ａと、を備える。【選択図】図２
2010082123.tif 000002
【特許請求の範囲】
【請求項１】
天板の下面に機能設備部が設けられるとともに、本体内部における前記機能設備部と本体側面との間に物品を収納可能な収納空間部が設けられたキャビネットであって、
前記本体側面における前記収納空間部との対向位置に設けられた開口を開閉可能であるとともに、前記キャビネットの本体に下端辺が回動自在に枢着された開閉扉と、
前記物品を収納可能な収納体と、
前記収納体を、前記収納空間部に収納される収納位置と前記キャビネットの本体外部の使用位置との間で前後方向に直線状にスライド移動案内するガイド手段と、
前記開閉扉の開閉動作に連動して前記収納体を前記収納位置と前記使用位置との間で移動させる連動機構と、
を備えることを特徴とするキャビネット。
【請求項２】
前記連動機構は、
前記開閉扉側に設けられた係合ピンと、
前記収納体側に設けられ、前記係合ピンが摺動自在に係合される上下方向を向く係合孔と、
から構成されることを特徴とする請求項１に記載のキャビネット。
【請求項３】
前記開閉扉が開放位置または閉塞位置にて回動が規制されたときの衝撃を緩和するための緩衝手段を設けたことを特徴とする請求項１または２に記載のキャビネット。
【請求項４】
前記収納体は、前記ガイド手段に取り付けられる網籠と、該網籠上に着脱自在に載置されるトレーと、からなることを特徴とする請求項１ないし３のいずれかに記載のキャビネット。
【発明の詳細な説明】
【技術分野】
【０００１】
本発明は、天板の下面にシンクや洗面ボウル等の機能設備部が設けられるとともに、本体内部における前記機能設備部と本体側面との間に物品を収納可能な収納空間部が設けられたキャビネットに関する。
【背景技術】
【０００２】
従来、この種のキャビネットとしては、例えばキャビネットの本体内上部、つまり洗面ボウル等の前方に形成される収納空間の前面開口を蓋体により開閉可能とし、本体内部のスペースを有効に利用できるようにするとともに、この収納空間に引き出しを収納して物品を出し入れ自在としたもの等がある（例えば、特許文献１参照）。
【０００３】
【特許文献１】特開２００７−１４３６４６号公報（第４頁、第３−４図）
【発明の開示】
【発明が解決しようとする課題】
【０００４】
しかしながら、上記特許文献１に記載のキャビネットにあっては、蓋体を開放することはできるものの、収納空間内に収納された物品は天板の下方に位置するため、取り出しにくいという問題があった。
【０００５】
本発明は、このような問題点に着目してなされたもので、天板の下面に形成される狭い収納空間部内に物品を効率よく収納することができるキャビネットを提供することを目的とする。
【課題を解決するための手段】
【０００６】
前記課題を解決するために、本発明の請求項１に記載のキャビネットは、
天板の下面に機能設備部が設けられるとともに、本体内部における前記機能設備部と本体側面との間に物品を収納可能な収納空間部が設けられたキャビネットであって、
前記本体側面における前記収納空間部との対向位置に設けられた開口を開閉可能であるとともに、前記キャビネットの本体に下端辺が回動自在に枢着された開閉扉と、
前記物品を収納可能な収納体と、
前記収納体を、前記収納空間部に収納される収納位置と前記キャビネットの本体外部の使用位置との間で前後方向に直線状にスライド移動案内するガイド手段と、
前記開閉扉の開閉動作に連動して前記収納体を前記収納位置と前記使用位置との間で移動させる連動機構と、
を備えることを特徴としている。
この特徴によれば、開閉扉の開閉に連動して収納体が使用位置と収納位置との間で直線状にスライド移動するため、物品の出し入れが容易になるばかりか、収納体を出し入れする際に物品の姿勢が変わることがないので、収納体内での物品の横転、散乱や脱落等が防止される。また、開閉扉は、回動により上端辺側が下方に傾倒して開放されることで、開閉扉を閉塞時の起立姿勢のまま収納体とともにスライドさせて引き出す場合に比べて、開放された開閉扉の上端辺と天板端縁との間の間口が大きくなるため、奥行き幅が狭い収納体を収納位置から大きく引き出さなくても、物品の出し入れの際に開閉扉が邪魔になることがない。
【０００７】
本発明の請求項２に記載のキャビネットは、請求項１に記載のキャビネットであって、
前記連動機構は、
前記開閉扉側に設けられた係合ピンと、
前記収納体側に設けられ、前記係合ピンが摺動自在に係合される上下方向を向く係合孔と、
から構成されることを特徴としている。
この特徴によれば、簡単な機構で、開閉扉の開閉動作により縦方向に回転する係合ピンの回転運動を、収納体の前後方向の直線運動に変換することができる。
【０００８】
本発明の請求項３に記載のキャビネットは、請求項１または２に記載のキャビネットであって、
前記開閉扉が開放位置または閉塞位置にて回動が規制されたときの衝撃を緩和するための緩衝手段を設けたことを特徴としている。
この特徴によれば、開閉扉が開放位置または閉塞位置にて回動が規制されたときの衝撃が緩和されることで、該開閉扉の開閉に連動して移動する収納体が使用位置や収納位置において急激に停止することが防止されるため、収納された物品の落下や散乱が防止される。
【０００９】
本発明の請求項４に記載のキャビネットは、請求項１ないし３のいずれかに記載のキャビネットであって、
前記収納体は、前記ガイド手段に取り付けられる網籠と、該網籠上に着脱自在に載置されるトレーと、からなることを特徴としている。
この特徴によれば、収納体の軽量化を図ることができるばかりか、小物等は網籠から抜け落ちることがないようにトレーに収納しておくことができる。また、収納体全体をガイド手段から取り外すことなく、トレーのみを網籠から取り外すことができるので、物品をトレーごと取り出して天板上等にて使用することができる。
【発明を実施するための最良の形態】
【００１０】
本発明に係るキャビネットを実施するための最良の形態を実施例に基づいて以下に説明する。
【実施例】
【００１１】
本発明の実施例を図面に基づいて説明すると、先ず図１は、本発明の実施例におけるキャビネットの全体像を示す斜視図であり、図２は、図１におけるキャビネットのＡ−Ａ断面図であり、図３は、開閉扉が閉塞した状態を示すＡ−Ａ断面図であり、図４は、図３におけるキャビネットのＢ−Ｂ断面図であり、図５は、図４におけるキャビネットのＣ−Ｃ断面図であり、図６（ａ）は、キャビネットの開閉扉が開放されている状態を示す概念図であり、図６（ｂ）は、キャビネットの開閉扉が閉塞する途上の状態を示す概念図であり、図６（ｃ）は、キャビネットの開閉扉が閉塞された状態を示す概念図である。以下、図２、図３及び図６（ａ）〜図６（ｃ）の紙面左側をキャビネットの正面側（前方側）とし、図４の紙面手前側をキャビネットの正面側（前方側）とし、図５の紙面下方側をキャビネットの正面側（前方側）として説明する。
【００１２】
図１の符号１は、本発明の適用されたキャビネットの一例である洗面台である。この洗面台１は、バスルーム等の屋内に設置され、洗面台１の本体２の内部に櫛や整髪料等の物品を収納できるようになっている。
【００１３】
図１に示すように、洗面台１の本体２は、床面から立設される左右の側板１０，１０と、図示しない後板と、側板１０，１０及び後板の上部に載置される方形状の天板８と、図示しない底板と、により前面が開口する箱状に形成されており、内部が物品を収納可能な収納空間部とされている。
【００１４】
本体２の前面に形成された開口３は、上下２枚の横長長方形状の開閉扉６，７によって開閉可能に閉塞されており、これらのうち下方の開閉扉７は、本体２の下部に前後方向に引き出し自在に収納された引出しの前板である。
【００１５】
天板８には、上下方向に貫通する開口８ａが形成されており、この天板８の下面の開口周縁部には、縦断面視略凹状に形成された本発明における機能設備付部としての水槽９が、開口８ａを下方から覆うように取り付けられている。つまり、水槽９は、本体２内上部において、天板８の下面から下方に向かって凸設されている。
【００１６】
そして、水槽９は天板８よりも小さく形成されているため、図３に示すように、本体２内上部において、水槽９の外周面と、本体２の側面を構成する開閉扉６、側板１０，１０及び後板それぞれの内面と、の間には間隙が形成されており、特に、水槽９の外周前面と、該水槽９の外周前面に対向する開閉扉６の内面との間に形成された間隙は、後述する収納体４が収納される収納空間部１１として利用されている。この収納空間部１１は、本体２内上部に設けられ、その下方の本体２内下部空間よりも前後方向の奥行き幅が狭い空間部とされている。
【００１７】
収納空間部１１の下部には、側板１０，１０内面における前部に両端が固定された左右方向に延びる渡し板５が水平に設けられている。また、渡し板５の後部から上方に向けて、水槽９の外周前面を覆うように閉塞板１２が取り付けられている。このように収納空間部１１は、本体２の内部において、開閉扉６、閉塞板１２、側板１０，１０及び天板８により前面の開口３を除く周面が囲まれている。
【００１８】
収納体４は、図４及び図５に示すように、金属製の線材等により上面が開口する横長箱状に形成された網籠４ａと、この網籠４ａ内に着脱自在に収納保持されるトレー４ｂと、で構成されている。網籠４ａの左右上端部はそれぞれ外側に向けて延設されており、後述する左右一対のスライドレール１３の可動レール１３ｂに取り付けられている。また、網籠４ａの左右側部には、外側面の前部に上下方向を向く長孔状の係合孔１７ａが穿設された連結板１７が取り付けられている。
【００１９】
トレー４ｂは、上面が開口するとともに、網籠４ａ内に嵌合可能な大きさに形成された平面視長方形状をなす皿体であり、内部に整髪料等の物品を載置（収納）可能となっている。また、トレー４ｂの上端部外周には、外方に向けて延設されたフランジ部４ｃが形成されており、このフランジ部４ｃにおける前後下面が、網籠４ａにおける左右方向に延びる前後の線材上に載置されることによって、トレー４ｂは網籠４ａ上部を左右にスライド移動可能、かつ、網籠４ａから上方に取り外し自在に載置されている。
【００２０】
このように、収納体４は、スライドレール１３に取り付けられる網籠４ａと、網籠４ａ上に着脱自在に載置されるトレー４ｂと、からなることで、収納体４の軽量化を図ることができるばかりか、小物等は網籠４ａから抜け落ちることがないようにトレー４ｂに収納しておくことができる。また、収納体４全体をスライドレール１３から取り外すことなく、トレー４ｂのみを網籠４ａから取り外すことができるので、物品をトレー４ｂごと取り出して天板８上等にて使用することができる。
【００２１】
このように構成された収納体４は、本発明におけるガイド手段としてのスライドレール１３によって左右端が支持され、開閉扉６の開閉に連動して、図３に示す収納空間部１１に収納されている収納位置と、図２に示す本体２の外部である使用位置と、の間で前後方向に移動可能となっている。
【００２２】
具体的には、図２及び図３に示すように、スライドレール１３は、閉塞板１２の左右端部に形成された挿通孔１２ａを介して本体２の両側板１０，１０内側面に固定された前後方向を向く直線状の支持レール１３ａと、該支持レール１３ａに対して長手方向に摺動自在に嵌合された可動レール１３ｂと、から構成されている。この前後方向にスライド移動自在な可動レール１３ｂには、前述したように網籠４ａの左右上端部が取り付けられている。つまり、スライドレール１３は、収納体４を、収納空間部１１に収納される収納位置と本体２の外部の使用位置との間で前後方向に直線状にスライド移動案内するガイド手段を構成している。
【００２３】
開閉扉６は、その下端辺部が渡し板５の左右端部に設けられたヒンジ１４を介して本体２に取り付けられており、開口３の上部を開放する開放位置（図２参照）と、開口３の上部を閉塞する閉塞位置（図３参照）と、の間で、ヒンジ１４の図示しない左右方向を向く枢軸周りに揺動自在に設けられている。
【００２４】
尚、特に図示しないが、ヒンジ１４には回動範囲が設定されており、開閉扉６の最大開放位置は該ヒンジ１４により決定されている。また、閉塞位置においては、開閉扉６の上端部後面が、天板８を補強するために該天板８の下面前部に貼り付けられた裏打材１５に当接することにより規制されるようになっている。
【００２５】
開閉扉６の後面の左右端部には、平面視コ字形の取付金具１６がそれぞれ取り付けられている。これら取付金具１６の内側片１６ａの内側面からは、図４及び図５に示すように、係合ピン１６ｃが本体２の内側に向かって凸設されており、連結板１７の係合孔１７ａに前後上下摺動可能に係合されることで、開閉扉６と収納体４とが連結されている。
【００２６】
左右の取付金具１６の外側片１６ｂと側板１０，１０内側面との間には、本体２と開閉扉６とを連結する折曲アーム１８が取り付けられている。折曲アーム１８の一端は、左右方向を向く枢軸１９ｂによって外側片１６ｂの外側面に枢着され、他端は、左右方向を向く枢軸１９ａによって側板１０，１０内側面に枢着されている。
【００２７】
尚、折曲アーム１８の略中央に配置された回動軸周りには、開閉扉６が開放位置または閉塞位置にて揺動が規制されたときの衝撃を緩和する本発明における緩衝手段としてのロータリーダンパー２０が取り付けられている。具体的には、このロータリーダンパー２０により、屈曲アーム１８の回動に抵抗がかかるようになっているので、開閉扉６が急速に開閉されることが防止され、これにより開放位置または閉塞位置で揺動が規制されたときの衝撃が緩和される。よって、この開閉扉６の開閉に連動して移動する収納体４が、使用位置や収納位置において急激に停止することが防止されるため、収納された物品の落下や散乱が防止される。
【００２８】
次に、開閉扉６の開閉に連動する収納体４の移動について説明する。図６（ａ）に示すように、開閉扉６が開放されているときには、収納体４は、本体２の外部となる使用位置において、姿勢が床面に対して水平状態に保たれている。
【００２９】
次いで、図６（ａ）に示す開閉扉６が開放されている状態から、開閉扉６を閉塞方向に向けて押圧すると、取付金具１６の係合ピン１６ｃは、開閉扉６の揺動にあわせて、ヒンジ１４の図示しない枢軸を中心とする円弧に沿って後方に移動するため、上下方向を向く係合孔１７ａ内を上方に摺動移動しつつ、収納体４を後方に向けて押圧する（図６（ｂ）参照）。
【００３０】
そして、図６（ｂ）に示すように、開閉扉６が約半分閉塞された状態において、係合ピン１６ｃは係合孔１７ａの上端まで移動され、さらに開閉扉６が閉塞されると、今度は係合ピン１６ｃが係合孔１７ａ内を下方に移動しつつ、収納体４を後方に向けて押圧する。
【００３１】
最後に、開閉扉６が開口３を閉塞する閉塞位置にて揺動規制されたとき、係合ピン１６ｃが係合孔１７ａ内下端に配置され、収納体４は収納空間部１１内に収納される（図６（ｃ）参照）。
【００３２】
このように、開閉扉６の開閉動作力が、連動機構を構成する係合ピン１６ｃと係合孔１７ａとを介して収納体４に伝達されることで、スライドレール１３により前後方向に移動自在にガイドされた収納体４は、収納位置に向けて直線状に移動される。具体的には、左右方向を向く枢軸を有するヒンジ１４を中心として前方または後方に回動する開閉扉６の回動運動を、係合ピン１６ｃと係合孔１７ａとを介して収納体４の前方または後方への直線運動に変換できるため、係合ピン１６ｃ及び係合孔１７ａからなる簡単な連動機構で、開閉扉６の揺動による開閉動作に連動して、収納体４を、スライドレール１３により前後に直線状にスライド移動させることができる。
【００３３】
また、図６（ｃ）に示す収納位置に収納された収納体４を使用位置まで移動させるには、開口３を閉塞している開閉扉６の上端辺側を手前に引き出すことで、収納体４は、開閉扉６の開放動作に連動してスライドレール１３を介して前方に移動され、開閉扉６が開放位置まで開放されたとき、前述した使用位置に配置される。この開放動作は収納動作と逆の動きであるため、詳細な説明は省略する。
【００３４】
また、開閉扉６は、開口３を閉塞する閉塞位置において、収納体４の前面側にて起立姿勢に保持されているが、前述したように下端辺側を中心として上端辺側が前方に傾倒されることで開放するようになっているため、図２に示すように、開放位置において傾斜姿勢となり、収納体４の下方位置に退避される。
【００３５】
従って、開閉扉６を、開口３を閉塞する起立姿勢のまま手前に引き出した場合、収納体４の前側に開閉扉６の上部が配置されるため（図２中２点鎖線の開閉扉６を参照）、洗面台１の前方に位置する使用者が収納体４に収納されている物品に、手前側の斜め上方からアプローチする際に開閉扉６が邪魔になるが、本実施例の開閉扉６は、下端辺側を中心として上端辺側が前方に傾倒されることで、開放位置において収納体４の下方位置に傾斜姿勢で配置されるため、使用者が収納体４に収納されている物品に手前側の斜め上方からアプローチする際に開閉扉６が邪魔になることがない。
【００３６】
具体的には、開放された開閉扉６の上端辺と天板８の前端縁との間の間口寸法Ｌ１が、開閉扉６を起立姿勢のまま手前に引き出した場合の間口寸法Ｌ２よりも大きくなるため（Ｌ１＞Ｌ２）、奥行き幅が狭い収納体４を収納位置から大きく引き出さなくても、開閉扉６が物品の出し入れの際に邪魔になることがない。
【００３７】
以上説明したように、本発明の実施例としての洗面台１にあっては、開閉扉６の開閉に連動して収納体４が使用位置と収納位置との間で直線状にスライド移動するため、物品の出し入れが容易になるばかりか、収納体４を出し入れする際に物品の姿勢が変わることがないので、収納体４内での物品の横転、散乱や脱落等が防止される。また、開閉扉６は、回動により上端辺側が下方に傾倒して開放されることで、開閉扉６を閉塞時の起立姿勢のまま収納体４とともにスライドさせて引き出す場合に比べて、開放された開閉扉６の上端辺と天板８端縁との間の間口が大きくなるため、奥行き幅が狭い収納体４を収納位置から大きく引き出さなくても、物品の出し入れの際に開閉扉６が邪魔になることがない。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、ガイド手段の一例として、収納体４を前後にスライド移動案内するスライドレール１３が適用されていたが、ガイド手段は、本体２側に固定される支持レール１３ａと、該支持レール１３ａに摺動自在に嵌合される可動レール１３ｂとからなるものでなくてもよく、例えば側面１０，１０の内面に形成される前後方向を向く溝条と、該溝条に対して前後に摺動自在に係合されるガイド片と、から構成してもよい。
【００４０】
また、前記実施例では、連動機構が上下方向を向く係合孔１７ａと係合ピン１６ｃとから構成されていたが、開閉扉６の開閉動作に連動して収納体４が前後移動するように、開閉扉６と収納体４とを連結するものであれば、例えば開閉扉６とともに回動するピニオンギヤと、該ピニオンギヤに噛合し、収納体４側に設けられるラックと、により連動機構を構成してもよい。さらに、係合孔１７ａを開閉扉６側に設け、係合ピン１６ｃを収納体４側に設けてもよい。
【００４１】
また、本実施例では、水槽９の外周前面と開閉扉６の後面との間を収納空間部１１としていたが、収納空間部１１は、水槽９の外周左右側面と左右側板１０，１０の内面との間、または水槽９の外周後面と後板の内面との間でもよく、これらの空間部に本発明を適用してもよい。
【００４２】
また、前記実施例では、キャビネットの一例として洗面台を説明したが、キッチンカウンタ等、種々のものであってもよい。
【００４３】
また、前記実施例では、機能設備部の一例として水槽９が適用されていたが、天板の下面に取り付けられてなるものであれば、例えばキッチンカウンタ等において、天板埋設型のコンロや食器洗浄器等であってもよい。
【図面の簡単な説明】
【００４４】
【図１】本発明の実施例におけるキャビネットの全体像を示す斜視図である。
【図２】図１におけるキャビネットのＡ−Ａ断面図である。
【図３】開閉扉が閉塞した状態を示すＡ−Ａ断面図である。
【図４】図３におけるキャビネットのＢ−Ｂ断面図である。
【図５】図４におけるキャビネットのＣ−Ｃ断面図である。
【図６】（ａ）は、キャビネットの開閉扉が開放されている状態を示す概念図であり、（ｂ）は、キャビネットの開閉扉が閉塞する途上の状態を示す概念図であり、（ｃ）は、キャビネットの開閉扉が閉塞された状態を示す概念図である。
【符号の説明】
【００４５】
１                洗面台（キャビネット）
２                本体
３                開口
４                収納体
４ａ              網籠
４ｂ              トレー
５                渡し板
６，７            開閉扉
８                天板
９                水槽（機能設備部）
１０              側板
１１              収納空間部
１２              閉塞板
１３              スライドレール（ガイド手段）
１３ａ            支持レール
１３ｂ            可動レール
１４              ヒンジ
１６              取付金具
１６ａ            内側片
１６ｂ            外側片
１６ｃ            係合ピン（連動機構）
１７              スペーサ部
１７ａ            係合孔（連動機構）
１８              折曲アーム
１９ａ，１９ｂ    枢軸
２０              ロータリーダンパー（緩衝手段）
【図１】
2010082123.tif 000003
【図２】
2010082123.tif 000004
【図３】
2010082123.tif 000005
【図４】
2010082123.tif 000006
【図５】
2010082123.tif 000007
【図６】
2010082123.tif 000008